【誤訳訂正書】
【提出日】平成28年7月22日(2016.7.22)
【誤訳訂正１】
【訂正対象書類名】特許請求の範囲
【訂正対象項目名】全文
【訂正方法】変更
【訂正の内容】
【特許請求の範囲】
【請求項１】
式（Ｉ）又は（ＩＩ）
【化１】
2015227447.tif 000001
（式中、Ｒ１は、式−（ＣＨＲ−ＣＨ２−Ｏ）ｐ−Ｒ’（式中、ｐ＝２〜６であり、ＲはＨ又はメチルであり、Ｒ’はＨ、Ｃ１〜Ｃ６アルキル基又はＣ３〜Ｃ１１シクロアルキル基である）のポリ（アルキレンオキシド）基であり、
Ｒ２は、ヒドロキシ、アミノ、ハロ、アルコキシ、アルキルカルボニル及びアルコキシカルボニルから選択される置換基により置換されていてもよいＣ６〜Ｃ２０アリール基又はヘテロアリール基であり、
Ｒ３及びＲ４の一方は、ヒドロキシ、ハロ、アミノ及びニトロから選択される置換基により置換されていてもよいＣ６〜Ｃ１４アリール基であり、Ｒ３及びＲ４の他方は、カルボキシ、アミノ、メルカプト、アルキニル、アルケニル、ハロ、アジド及びヘテロシクリルから選択される置換基により置換されていてもよいＣ１〜Ｃ２２アルコキシ基であり、
ｎ及びｍは、独立して、２〜２０００であり、０＜ｘ≦ｎ及び０＜ｙ≦ｍである）
のブロックコポリマー。
【請求項２】
ＲがＨである、請求項１に記載のブロックコポリマー。
【請求項３】
ｐが３〜６である、請求項１又は２に記載のブロックコポリマー。
【請求項４】
Ｒ’がＣ１〜Ｃ６アルキル基である、請求項１〜３のいずれか一項に記載のブロックコポリマー。
【請求項５】
Ｒ’がメチルである、請求項１〜４のいずれか一項に記載のブロックコポリマー。
【請求項６】
Ｒ２が、ハロで置換されていてもよいＣ６〜Ｃ１０アリール基である、請求項１〜５のいずれか一項に記載のブロックコポリマー。
【請求項７】
Ｒ２が、ハロで置換されていてもよいフェニル基である、請求項１〜６のいずれか一項に記載のブロックコポリマー。
【請求項８】
Ｒ２がフェニルである、請求項１〜７のいずれか一項に記載のブロックコポリマー。
【請求項９】
Ｒ３がフェニルである、請求項１〜８のいずれか一項に記載のブロックコポリマー。
【請求項１０】
Ｒ４がＣ１〜Ｃ６アルコキシ基である、請求項１〜９のいずれか一項に記載のブロックコポリマー。
【請求項１１】
ｎが３０〜３５０であり、ｍが１５０〜１７７５である、請求項１〜１０のいずれか一項に記載のブロックコポリマー。
【請求項１２】
ｎが７０〜２００であり、ｍが３５０〜１０００である、請求項１〜１１のいずれか一項に記載のブロックコポリマー。
【請求項１３】
以下の構造を有する、請求項１〜１２のいずれか一項に記載のブロックコポリマー。
【化２】
2015227447.tif 000002
【請求項１４】
請求項１〜１３のいずれか一項に記載のブロックコポリマーを調製する方法であって、  （ｉ）式
【化３】
2015227447.tif 000003
の２種のモノマーのうちの一方を、開環メタセシス重合（ＲＯＭＰ）触媒を用いて重合して、リビング鎖末端を有する開環ポリマーを得るステップ、
（ｉｉ）（ｉ）で得られた開環ポリマーのリビング末端に、２種のモノマーのうちの他方を重合して、リビング末端を有するジブロックコポリマーを得るステップ、
（ｉｉｉ）（ｉｉ）で得られたジブロックコポリマーのリビング末端を、アルキルビニルエーテルによって末端処理するステップ、及び
（ｉｖ）（ｉｉｉ）で得られたジブロックコポリマーを水素化して、式（Ｉ）又は（ＩＩ）のブロックコポリマーを得るステップ
を含む、方法。
【請求項１５】
ＲＯＭＰ触媒が、式
【化４】
2015227447.tif 000004
のものである、請求項１４に記載の方法。
【請求項１６】
水素化がＧｒｕｂｂｓ第二世代触媒の存在下で実施される、請求項１４又は１５に記載の方法。
【請求項１７】
請求項１〜１３のいずれか一項に記載のブロックコポリマーを含む自己組織化構造。
【請求項１８】
請求項１７に記載の自己組織化構造から調製された多孔性膜。
【誤訳訂正２】
【訂正対象書類名】明細書
【訂正対象項目名】０００２
【訂正方法】変更
【訂正の内容】
【０００２】
［発明の概要］
[0002]本発明は、式（Ｉ）又は（ＩＩ）
【化１】
2015227447.tif 000005
（式中、Ｒ１は、式−（ＣＨＲ−ＣＨ２−Ｏ）ｐ−Ｒ’（式中、ｐ＝２〜６であり、ＲはＨ又はメチルであり、Ｒ’はＨ、Ｃ１〜Ｃ６アルキル基又はＣ３〜Ｃ１１シクロアルキル基である）のポリ（アルキレンオキシド）基であり、
Ｒ２は、ヒドロキシ、アミノ、ハロ、アルコキシ、アルキルカルボニル、アルコキシカルボニル、アミド及びニトロから選択される置換基により置換されていてもよいＣ６〜Ｃ２０アリール基又はヘテロアリール基であり、
Ｒ３及びＲ４の一方は、ヒドロキシ、ハロ、アミノ及びニトロから選択される置換基により置換されていてもよいＣ６〜Ｃ１４アリール基であり、Ｒ３及びＲ４の他方は、カルボキシ、アミノ、メルカプト、アルキニル、アルケニル、ハロ、アジド及びヘテロシクリルから選択される置換基により置換されていてもよいＣ１〜Ｃ２２アルコキシ基であり、
ｎ及びｍは、独立して、２〜約２０００であり、０＜ｘ≦ｎ及び０＜ｙ≦ｍである）
のブロックコポリマーを提供するものである。
【誤訳訂正３】
【訂正対象書類名】明細書
【訂正対象項目名】０００５
【訂正方法】変更
【訂正の内容】
【０００５】
［発明の詳細な説明］
[0008]一実施形態において、本発明は、式（Ｉ）又は（ＩＩ）
【化２】
2015227447.tif 000006
（式中、Ｒ１は、式−（ＣＨＲ−ＣＨ２−Ｏ）ｐ−Ｒ’（式中、ｐ＝２〜６であり、ＲはＨ又はメチルであり、Ｒ’はＨ、Ｃ１〜Ｃ６アルキル基又はＣ３〜Ｃ１１シクロアルキル基である）のポリ（アルキレンオキシド）基であり、
Ｒ２は、ヒドロキシ、アミノ、ハロ、アルコキシ、アルキルカルボニル、アルコキシカルボニル、アミド及びニトロから選択される置換基により置換されていてもよいＣ６〜Ｃ２０アリール基又はヘテロアリール基であり、
Ｒ３及びＲ４の一方は、ヒドロキシ、ハロ、アミノ及びニトロから選択される置換基により置換されていてもよいＣ６〜Ｃ１４アリール基であり、Ｒ３及びＲ４の他方は、カルボキシ、アミノ、メルカプト、アルキニル、アルケニル、ハロ、アジド及びヘテロシクリルから選択される置換基により置換されていてもよいＣ１〜Ｃ２２アルコキシ基であり、
ｎ及びｍは、独立して、２〜約２０００であり、０＜ｘ≦ｎ及び０＜ｙ≦ｍである）
のブロックコポリマーを提供する。
【誤訳訂正４】
【訂正対象書類名】明細書
【訂正対象項目名】００１１
【訂正方法】変更
【訂正の内容】
【００１１】
[0014]上記の実施形態のいずれかおいて、Ｒ２は、ヒドロキシ、アミノ、ハロ、アルコキシ、アルキルカルボニル、アルコキシカルボニル、アミド及びニトロから選択される置換基により置換されていてもよいＣ６〜Ｃ１０アリール基である。
【誤訳訂正５】
【訂正対象書類名】明細書
【訂正対象項目名】００１２
【訂正方法】変更
【訂正の内容】
【００１２】
[0015]一実施形態において、Ｒ２は、ヒドロキシ、アミノ、ハロ、アルコキシ、アルキルカルボニル、アルコキシカルボニル、アミド及びニトロから選択される置換基により置換されていてもよいフェニル基である。
【誤訳訂正６】
【訂正対象書類名】明細書
【訂正対象項目名】００１３
【訂正方法】変更
【訂正の内容】
【００１３】
[0016]上記の実施形態のいずれかおいて、Ｒ３は、ヒドロキシ、ハロ、アミノ及びニトロから選択される置換基により置換されていてもよいＣ６〜Ｃ１４アリール基であり、Ｒ４は、カルボキシ、アミノ、メルカプト、アルキニル、アルケニル、ハロ、アジド及びヘテロシクリルから選択される置換基により置換されていてもよいＣ１〜Ｃ２２アルコキシ基である。
【誤訳訂正７】
【訂正対象書類名】明細書
【訂正対象項目名】００１４
【訂正方法】変更
【訂正の内容】
【００１４】
[0017]一実施形態において、Ｒ３は、ヒドロキシ、ハロ、アミノ及びニトロから選択される置換基により置換されていてもよいフェニルであり、Ｒ４は、カルボキシ、アミノ、メルカプト、アルキニル、アルケニル、ハロ、アジド及びヘテロシクリルから選択される置換基により置換されていてもよいＣ１〜Ｃ６アルコキシ基である。
【誤訳訂正８】
【訂正対象書類名】明細書
【訂正対象項目名】００２０
【訂正方法】変更
【訂正の内容】
【００２０】
[0023]上記の実施形態のいずれかにおいて、「シクロアルキル」基は、単環又は二環であり得る。単環シクロアルキル基の例には、シクロプロピル、シクロブチル、シクロペンチル、シクロヘキシル、シクロヘプチル及びシクロオクチルが含まれる。二環シクロアルキル基の例には、スピロオクタン、スピロノナン、スピロデカン及びスピロウンデカン等の１つの共通の環炭素原子を有するもの、ビシクロオクタン、ビシクロノナン、ビシクロデカン及びビシクロウンデカン等の２つの共通の環炭素原子を有するものが含まれる。いずれのシクロアルキル基も、１つ又は複数のアルキル基、例えばＣ１〜Ｃ６アルキル基によって置換されていてもよい。
【誤訳訂正９】
【訂正対象書類名】明細書
【訂正対象項目名】００４４
【訂正方法】変更
【訂正の内容】
【００４４】
[0047]本発明は、
（ｉ）式
【化６】
2015227447.tif 000007
の２種のモノマーのうちの一方を、開環メタセシス重合（ＲＯＭＰ）触媒を用いて重合して、リビング鎖末端を有する開環ポリマーを得るステップ、
（ｉｉ）（ｉ）で得られた開環ポリマーのリビング末端に、２種のモノマーのうちの他方を重合して、リビング末端を有するジブロックコポリマーを得るステップ、及び
（ｉｉｉ）（ｉｉ）で得られたジブロックコポリマーのリビング末端を、置換されていてもよいアルキルビニルエーテルによって末端処理するステップ、及び
（ｉｖ）（ｉｉｉ）で得られたジブロックコポリマーを水素化して、式（Ｉ）又は（ＩＩ）のブロックコポリマーを得るステップ
を含む、上に記載した式（Ｉ）又は（ＩＩ）のブロックコポリマーを調製する方法をさらに提供する。
【誤訳訂正１０】
【訂正対象書類名】明細書
【訂正対象項目名】００６３
【訂正方法】変更
【訂正の内容】
【００６３】
[0066]２種のモノマーの重合の後、ジブロックコポリマーの鎖末端は、置換されていてもよいアルキルビニルエーテルを重合混合物に加えることによって、末端処理される。